(57)【要約】【課題】装置内の冷却水の流れを円滑にすると共に、装置全体を薄型化（小型化）し得る冷却水通路装置を提供すること。【解決手段】冷却水通路装置１０は、それぞれ個別に成形された複数の樹脂成形体３１，３２を接合することにより形成されると共に、一対のエンジンヘッドからの冷却水をそれぞれ取り込む一対の冷却水取り込み管１１，１２と、当該冷却水取り込み管に続く立上り管１７，１８をそれぞれ介して前記各立上り管の間に中央路１９が形成され、前記中央路に連通してラジエータへの連通管２１が形成されている。前記中央路１９の中心を通る線をＡとし、前記各立上り管の中心を通る線をそれぞれＢとした時、前記線Ａに対して前記各線Ｂはそれぞれ両外側に向かう鈍角になされ、前記中央路を挟んで前記立上り管がそれぞれ両外側に傾斜状態に成形されている。【選択図】図２
2011231722.tif 000002
【特許請求の範囲】
【請求項１】
内燃機関内に形成された流体通路とラジエータとの間で冷却水の循環流路を形成した内燃機関の冷却装置において用いられ、前記内燃機関の冷却水出口部と前記ラジエータの冷却水入口部との間に設けられる冷却水通路装置であって、
前記冷却水通路装置は、それぞれ個別に成形された複数の樹脂成形体を接合することにより形成されると共に、前記内燃機関における一対のエンジンヘッドからの冷却水をそれぞれ取り込む一対の冷却水取り込み管と、当該冷却水取り込み管に続く立上り管をそれぞれ介して前記各立上り管の間に中央路が形成されると共に、前記中央路に連通してラジエータへの連通管が形成されており、
前記中央路の中心を通る線をＡとし、前記各立上り管の中心を通る線をそれぞれＢとした時、前記線Ａに対して前記各線Ｂはそれぞれ両外側に向かう鈍角になされ、前記中央路を挟んで前記立上り管がそれぞれ両外側に傾斜状態に成形されていることを特徴とする冷却水通路装置。
【請求項２】
前記一対の冷却水取り込み管およびラジエータへの連通管は、前記複数の樹脂成形体のうちの１つの樹脂成形体において、一体に成形されていることを特徴とする請求項１に記載された冷却水通路装置。
【請求項３】
前記樹脂成形体が、第１ボディと第２ボディとによる２つの樹脂成形体により構成され、前記第１ボディと第２ボディとの接合面が、前記線Ａに沿う面に平行となるように形成されていることを特徴とする請求項１に記載された冷却水通路装置。
【請求項４】
前記各立上り管の間に挟まれた前記中央路の長さ方向の中央部において、前記ラジエータへの連通管が形成された構成において、前記一対の冷却水取り込み管を左右にして冷却水通路装置を平面視したとき、前記一方の冷却水取り込み管の中心を通る線Ｃと、前記線Ａとが鈍角になされ、前記他方の冷却水取り込み管の中心を通る線Ｃと、前記線Ａとが鋭角になされ、かつ前記一方および他方の冷却水取り込み管の中心を通る各線Ｃが、互いに平行状態になされるように成形されていることを特徴とする請求項１に記載された冷却水通路装置。
【請求項５】
前記一対の冷却水取り込み管の開口をそれぞれ取り巻くようにして鍔状の締結部が形成され、それぞれの締結部には、ボルト挿通用の孔が形成されていることを特徴とする請求項１ないし請求項４のいずれか１項に記載された冷却水通路装置。
【発明の詳細な説明】
【技術分野】
【０００１】
本発明は、内燃機関内に形成された流体通路とラジエータとの間で冷却水を循環させることにより、内燃機関（以下、エンジンともいう。）の冷却を行う冷却装置に好適に用いられる冷却水通路装置に関する。
【背景技術】
【０００２】
この種のエンジン冷却装置においては、内燃機関内に形成された流体通路とラジエータとの間で冷却水を循環させることで、エンジンの冷却を行うだけでなく、冷却水を暖房用のヒータコアを備えたヒータ循環流路に供給するようにもなされており、さらに昨今においてはエンジンからの冷却水をＡＴＦウォーマやＥＧＲクーラにも利用する形態のものも提案されている。
【０００３】
したがって、前記したように各部に冷却水を循環もしくは供給するために、個々に分岐管を用いて配管を接続する必要が生ずる。したがって、エンジンルーム内における配管が複雑となり、エンジンのメンテナンス性を悪化させるという問題を招来させる。
【０００４】
そこで、前記した各管の接続を簡素化するために、エンジンの冷却水吐出口に直結し、内部にサーモバルブを収容して、各管の接続口を集約させた冷却水通路装置が次に示す先行技術文献に開示されている。
【先行技術文献】
【特許文献】
【０００５】
【特許文献１】特公平４−１６６１０号公報
【０００６】
ところで、前記特許文献に開示された冷却水通路装置においては、Ｖ型エンジンの一対のバンクにそれぞれ直結して冷却水を取り込み、これらを集合させる集合管やバイパス通路、またラジエータヘの冷却水の送出口、ラジエータからの冷却水の取り込み口、さらにウォータポンプへの配管接続口などを備えるなど、相当に複雑な構成になされている。
【０００７】
このような冷却水通路装置においては、全体を金属素材を用いて成形するようになされるため、成形加工が容易ではなく、成型加工においてコストアップを招き、また重量の増加を招く等の問題点を抱えている。
【０００８】
そこで、本件出願人は冷却水通路装置の全体を合成樹脂を利用して成形し、樹脂成形の容易性を生かして、軽量化ならびにコストダウンを図ることができる冷却水通路装置について、先に特願２００９−４１７７１として出願している。
【０００９】
本件出願人が先に出願した冷却水通路装置によると、必要な部分には十分な加工精度を得ることができると共に、装置に加わる応力を装置全体で吸収・分散させることができ、エンジンの熱膨張による応力およびエンジンと前記装置との熱膨張係数の差異による締結部のズレにも効果的に対処することが可能となる。
【００１０】
図９および図１０は、本件出願人が先に出願した冷却水通路装置の例を示すものである。なお図９は装置が第１と第２ボディーに分離されている状態（両者の接合前の状態）を背面側から見た斜視図であり、図１０は接合後の装置を正面から見た状態で示している。
【００１１】
先に出願した図９および図１０に示す冷却水通路装置１０においては、Ｖ型エンジンにおける左右のエンジンヘッドから吐出される冷却水をそれぞれ取り込む一対の冷却水取り込み管１１，１２が第１ボディ３１側に設けられ、冷却水を集合させる中央路１９、前記中央路１９を介したラジエータへの連通管２１等が第２ボディ３２側に設けられている。そして、樹脂成形された第１ボディ３１と第２ボディ３２は、例えば溶着手段により接合されて、冷却水通路装置１０が形成されている。
【００１２】
ところで、先に提案した冷却水通路装置１０においては、一対の冷却水取り込み管１１，１２は、垂直方向に立ち上がる立上り管１７，１８に連通され、この立上り管１７，１８を介して水平方向に形成された前記中央路１９に連通するように構成されている。
【００１３】
すなわち、通路装置１０における前記中央路１９の中心を通る線をＡとし、これが水平状態になされる場合においては、前記立上り管１７，１８の中心を通る線Ｂは、前記線Ａに対して直角に立ち上がって垂直状態になされる。また一対の冷却水取り込み管１１，１２の中心を通る線Ｃは、前記線Ｂに対してさらに直角に屈曲されて水平状態になされる関係となる。
【００１４】
したがって、前記した構成の冷却水通路装置１０によると冷却水の流れは、線Ｃ→Ｂ→Ａの順にそれぞれほぼ直角に屈曲されつつ、ラジエータへの連通管２１に向かって流れ出ることになる。それ故、装置１０内を通過する冷却水は、複数の直角な屈曲部内に沿った複雑な流れとなる。このために、冷却水の流れに抵抗が発生し、これが冷却水の流量に影響を与え、エンジン全体の冷却能力に影響を及ぼすという問題を抱えることになる。
【００１５】
また、先に提案した冷却水通路装置１０においては、前記したとおり一対の冷却水取り込み管１１，１２からラジエータへの連通管２１に至る流路が、連続してほぼ直角に屈曲された構成になされているので、必然的に装置１０の全体が大型化する。このために、エンジンと前記装置１０との熱膨張係数の差異による応力の発生度合いが大きく、これを吸収するための別の工夫も必要となる。
【００１６】
さらに、前記した構成の冷却水通路装置１０においては、樹脂成形された第１ボディ３１と第２ボディ３２とを接合させるための接合部分を一巡する長さが長くなり、接合部分における水漏れに対する信頼性を確保するために、格別な工夫も必要であるなど、いくつかの改良の余地が残されている。
【発明の概要】
【発明が解決しようとする課題】
【００１７】
この発明は、先に提案した冷却水通路装置について、前記したような課題を解消するためにさらに改良を加えたものであり、装置内の冷却水の流れを円滑にすると共に、装置全体を薄型化（小型化）し、かつ前記した第１ボディと第２ボディとを接合させるための接合部分の長さを短縮させることで、接合部分の信頼性も十分に確保することができる冷却水通路装置を提供することを課題とするものである。
【課題を解決するための手段】
【００１８】
前記した課題を解決するためになされた本発明にかかる内燃機関における冷却水通路装置は、内燃機関内に形成された流体通路とラジエータとの間で冷却水の循環流路を形成した内燃機関の冷却装置において用いられ、前記内燃機関の冷却水出口部と前記ラジエータの冷却水入口部との間に設けられる冷却水通路装置であって、前記冷却水通路装置は、それぞれ個別に成形された複数の樹脂成形体を接合することにより形成されると共に、前記内燃機関における一対のエンジンヘッドからの冷却水をそれぞれ取り込む一対の冷却水取り込み管と、当該冷却水取り込み管に続く立上り管をそれぞれ介して前記各立上り管の間に中央路が形成されると共に、前記中央路に連通してラジエータへの連通管が形成されており、前記中央路の中心を通る線をＡとし、前記各立上り管の中心を通る線をそれぞれＢとした時、前記線Ａに対して前記各線Ｂはそれぞれ両外側に向かう鈍角になされ、前記中央路を挟んで前記立上り管がそれぞれ両外側に傾斜状態に成形されていることを特徴とする。
【００１９】
この場合、好ましくは、前記一対の冷却水取り込み管およびラジエータへの連通管は、前記複数の樹脂成形体のうちの１つの樹脂成形体において、一体に成形された構成にされる。
【００２０】
加えて、前記樹脂成形体が、第１ボディと第２ボディとによる２つの樹脂成形体により構成され、前記第１ボディと第２ボディとの接合面が、前記線Ａに沿う面に平行となるように形成されていることが望ましい。
【００２１】
また、好ましい一つの形態においては、前記各立上り管の間に挟まれた前記中央路の長さ方向の中央部において、前記ラジエータへの連通管が形成された構成において、前記一対の冷却水取り込み管を左右にして冷却水通路装置を平面視したとき、前記一方の冷却水取り込み管の中心を通る線Ｃと、前記線Ａとが鈍角になされ、前記他方の冷却水取り込み管の中心を通る線Ｃと、前記線Ａとが鋭角になされ、かつ前記一方および他方の冷却水取り込み管の中心を通る各線Ｃが、互いに平行状態になされるように成形される。
【００２２】
さらに、前記一対の冷却水取り込み管の開口をそれぞれ取り巻くようにして鍔状の締結部が形成され、それぞれの締結部には、ボルト挿通用の締結孔が形成されていることが望ましい。
【発明の効果】
【００２３】
前記した構成の内燃機関における冷却水通路装置によると、中央路の中心を通る線をＡとし、各立上り管の中心を通る線をそれぞれＢとした時、前記線Ａに対して前記各線Ｂはそれぞれ両外側に向かう鈍角になされ、前記中央路を挟んで前記立上り管がそれぞれ両外側に傾斜状態になされた構成にされる。
【００２４】
この構成により、一対の冷却水取り込み管より前記中央路に至る流水経路は、屈曲部を少なくさせることができるので、冷却水通路装置内の冷却水の流れを円滑にすることが可能となる。これにより、冷却水の流量の減少によるエンジン全体の冷却能力に影響を及ぼす問題を解消することができる。
【００２５】
また、前記線Ａに対して前記各線Ｂはそれぞれ両外側に向かう鈍角になされているので、例えばＶ型エンジンの熱膨張と、これに取り付けられる冷却水通路装置の熱膨張の差を吸収するたわみ量を装置全体に持たせることが可能となり、装置の一部のみに応力が加わるのを避けることができる。また前記した構成によると装置全体も薄型化（小型化）することが可能となる。
この場合、先に出願した冷却水通路装置に用いられる各立上り管の長さと同等の長さをもたせつつ、冷却水取り込み管および立上り管により、前記した熱膨張の差を効果的に吸収することができる。
【００２６】
さらに各立上り管の間に形成される中央路の長さ方向の寸法を短縮することができるので、前記中央路部分で樹脂成形体を接合する構成とした場合には、その接合部分の長さが短縮され、前記接合部分における水漏れに対する信頼性を向上させることに寄与できる。
【図面の簡単な説明】
【００２７】
【図１】本発明にかかる冷却水通路装置の第１の実施の形態を示した上面図である。
【図２】図１示す装置の前半部を破断して示した断面図である。
【図３】本発明にかかる冷却水通路装置の第２の実施の形態を示した上面図である。
【図４】図３示すＸ−Ｘ線より矢印方向に見た断面図である。
【図５】第２の実施の形態を示す正面図である。
【図６】同じく背面図である。
【図７】同じく底面図である。
【図８】同じく底面側の第２ボディーを取り外した状態の底面図である。
【図９】先に提案した冷却水通路装置を第１と第２ボディーに分離した状態で示す斜視図である。
【図１０】同じく正面図である。
【発明を実施するための形態】
【００２８】
以下、本発明にかかる冷却水通路装置について、図に示す実施の形態に基づいて説明する。まず、図１および図２は、本発明にかかる冷却水通路装置の第１の実施の形態を示すものである。なお、この実施の形態においてはＶ型エンジンに装着され、Ｖ型エンジンの左右のエンジンヘッドからの冷却水を、前記装置１０において集合させるように構成した例にしたがって説明する。
【００２９】
図１および図２に示すように、冷却水通路装置１０は、Ｖ型エンジンにおける左右のエンジンヘッドからの冷却水をそれぞれ取り込む一対の冷却水取り込み管１１，１２がそれぞれ同一方向に向くようにして成形されており、前記一対の冷却水取り込み管１１，１２の開口部を取り巻くようにして鍔状の締結部（フランジ）１３，１４が形成されている。そして、前記締結部１３，１４には、左右のエンジンヘッドに装置１０を締結させるためのボルト挿通孔１５が形成されている。
【００３０】
前記一対の冷却水取り込み管１１，１２には、これに続く立上り管１７，１８がそれぞれ連続して形成されており、各立上り管１７，１８の間に冷却水を集合させる中央路１９が、前記立上り管１７，１８に連通して形成されている。そして、図１および図２に示す第１の実施の形態においては、前記中央路１９の長さ方向のほぼ中央部において、中央路１９に連通するようにしてラジエータへの連通管２１が形成されている。このラジエータへの連通管２１は、図１に示されたように前記一対の冷却水取り込み管１１，１２と同一方向に向くようにして形成されている。
【００３１】
また、前記冷却水通路装置１０における前記中央路１９に連通するようにして形成された前記ラジエータへの連通管２１とは反対面において、上向きに屈曲されるようにして連通管２３が形成されている。この連通管２３は、車室内暖房用の熱交換器として用いられる図示せぬヒータコア部に冷却水を供給するために用いられる。
【００３２】
また、前記ヒータコアへの連通管２３の基端部には、水温センサ２４が配置されており、さらに前記一方の冷却水取り込み管１１には、垂直方向に向くようにしてスロットルボディへの連通管２５が形成されている。
【００３３】
以上説明した各部材は、第１ボディ３１としての１つの樹脂成形体によって一体に形成されており、第１ボディ３１の下底部において第２ボディ３２としての樹脂成形体が、第１ボディ３１に接合されて冷却水通路装置１０を構成している。すなわち、この第１の実施の形態においては、第２ボディ３２は第１ボディ３１の下底部において、前記中央路１９を閉塞する偏平状に形成されたいわば蓋体として機能するようになされている。
前記した構造とすることにより、冷却水通路装置１０のねじり強度も向上させることができる。そして、蓋体は比較的単純な構成になされているので、寸法精度の検査管理も容易にすることができる。
【００３４】
なお、前記第１ボディ３１と第２ボディ３２は、一つの好ましい手段として、両者の接合部を重ね合わせた状態で溶着接合し、一つの筐体状になされた冷却水通路装置１０が形成される。そして両者の接合部は好ましくは振動溶着が用いて結合されるが、レーザ光を利用した溶着手段も利用することができ、その他ボルトによる螺合、接着剤等を用いて互いに接合することもできる。
【００３５】
前記した実施の形態においては、図２に示すように前記中央路１９の中心を通る線をＡとし、前記各立上り管１７，１８の中心を通る線をそれぞれＢとした時、前記線Ａに対して前記各線Ｂはそれぞれ両外側に向かう鈍角になされ、前記中央路１９を挟んで前記立上り管１７，１８がそれぞれ両外側に傾斜状態に成形されている。なお、前記立上り管１７，１８の両外側への傾斜角度は、Ｖ型エンジンの一対のヘッドのバンク角に一致させることが望ましいが、必ずしもこれに限られるものではない。
【００３６】
前記した構成によると、発明の効果の欄に記載したとおり、先に提案した図９および図１０に示す装置に比較して、装置内の冷却水の流れを円滑にすることができ、またエンジンの熱膨張と冷却水通路装置の熱膨張の差を吸収するたわみ量を装置全体に持たせることが可能となり、これにより装置の機械的な強度を増加させることができる。
【００３７】
また、中央路１９の長さ方向の寸法（図２に示す線Ａ方向の寸法）を短縮できるので、図に示す実施の形態のように、第１ボディ３１と第２ボディ３２との接合面が、前記線Ａに沿う面に平行となるように形成される構成においては、第１ボディ３１と第２ボディ３２の接合部分の総延長を短縮することができ、前記接合部分における水漏れに対する信頼性を向上させることも可能となる。
【００３８】
前記した接合部分の総延長を短縮できる場合には、例えばレーザ光を利用した溶着手段を利用することができ、これによると溶着時間の短縮化、溶着バリの削減、ならびに製造時間の短縮化を図ることができる。
【００３９】
加えて、前記した一対の冷却水取り込み管１１，１２およびラジエータへの連通管２１等を含む装置の主要部は第１ボディ３１側に成形されている。このように寸法精度を確保しなければならない部材を一方に集約させた構成にされているので、第１ボディ３１側において精度を管理することで、装置全体の精度を確保することができる。
また、前記した構成にすることで、部品単体での受入れ検査時の精度の確認、溶着後の精度の確認などの工数を削減することができ、精度の管理ポイントを容易にすることができる。
【００４０】
さらに、前記した第１の実施の形態においては、一対の冷却水取り込み管１１，１２を左右にして装置１０を平面視した図１に示す状態において、一方（図示の右側）の冷却水取り込み管１１の中心を通る線Ｃと、前記中央路１９の中心を通る線Ａとの交差角度が鈍角になされ、他方（図示の左側）の冷却水取り込み管１２の中心を通る線Ｃと、前記線Ａとの交差角度が鋭角になされると共に、前記一対の冷却水取り込み管１１，１２の中心を通る前記各線Ｃが、互いに平行状態になされるように成形されている。
【００４１】
この構成によると、一対の冷却水取り込み管１１，１２を経由して前記中央路１９内に流入する冷却水の進行路にオフセットを生じさせることができる。したがって、冷却水取り込み管１１，１２から流入した冷却水の衝突の度合いを低減されせることができ、冷却液の流れを円滑にすることに寄与できる。
【００４２】
次に図３〜図８は、本発明にかかる冷却水通路装置の第２の実施形態を示すものである。なお図３〜図８に示す第２の実施形態においては、すでに説明した図１および図２に示す各部と同一の機能を果たす部分を同一符号で示しており、したがってその詳細な説明は省略する。また、図３〜図８の各図においては代表的な部分について符号を付け、他は適宜省略している。
【００４３】
この第２の実施の形態においては、ラジエータへの連通管２１は中央路１９における一端部側、すなわち図４に示すように中央路１９と冷却水取り込み管１２の接続部に連通するようにして、前記中央路１９の長手方向の延長線方向に向って形成されている。また、この実施の形態においては、図７に示されているように蓋体として機能する第２ボディ３２に、ＥＧＲクーラへの連通管２７が形成されている。
【００４４】
この第２の実施の形態においても例えば図４に示したように、中央路１９の中心を通る線をＡとし、各立上り管１７，１８の中心を通る線をそれぞれＢとした時、前記線Ａに対して前記各線Ｂはそれぞれ両外側に向かう鈍角になされ、前記中央路１９を挟んで前記立上り管１７，１８がそれぞれ両外側に傾斜状態に成形されている。
【００４５】
この構成によれば、装置１０内の冷却水の流れを円滑にすることができるなど、すでに説明した第１の実施の形態と同様の作用効果を得ることが可能となる。また前記した構成によると、中央路１９の長さ方向の寸法が短縮され、中央路１９が長さ方向に過剰に突出することはないので、例えば図４〜図６に示されたように鍔状のフランジ１３，１４に形成されたボルト挿通孔１５の位置を、冷却水取り込み管１１，１２を中央にしたほぼ正三角形の均等位置に形成することができる。
【００４６】
すなわち、中央路１９が長さ方向に過剰に突出することにより、工具が挿入しにくいなどボルトの装着操作に支障を来たし、これを避けるために不均等な位置にボルト挿通孔１５をそれぞれ形成せざるを得ないという問題を解消させることができる。
【００４７】
また、鍔状のフランジ１３，１４に形成されたボルト挿通孔１５の位置を、冷却水取り込み管１１，１２を中央にしたほぼ正三角形の均等位置に形成することができるので、鍔状のフランジ１３，１４とエンジンヘッドとの間のシール面にかかる面圧を均一にすることができ、両者の間のシール性を向上させることができる。
【００４８】
なお、以上説明した実施の形態においては、冷却水通路装置１０をＶ型エンジンに装着する場合に基づいて説明したが、この発明にかかる冷却水通路装置１０は、これに限らず例えば水平対向型エンジン、または直列型エンジンにも採用することができる。
【符号の説明】
【００４９】
１０        冷却水通路装置
１１，１２  冷却水取り込み管
１３，１４  締結部（フランジ）
１５        ボルト挿通孔
１７，１８  立上り管
１９        中央路
２１        ラジエータへの連通管
２３        ヒータコアへの連通管
２４        水温センサ
２５        スロットルボディへの連通管
２７        ＥＧＲクーラへの連通管
３１        第１ボディ
３２        第２ボディ
【図１】
2011231722.tif 000003
【図２】
2011231722.tif 000004
【図３】
2011231722.tif 000005
【図４】
2011231722.tif 000006
【図５】
2011231722.tif 000007
【図６】
2011231722.tif 000008
【図７】
2011231722.tif 000009
【図８】
2011231722.tif 000010
【図９】
2011231722.tif 000011
【図１０】
2011231722.tif 000012